(57)【要約】  【課題】  主として樹木の根鉢を地中に埋設して樹木を支持施工する方法と、その支持施工の際に、その樹木の根元部や根鉢を支持する支持具に関し、樹木の根元部の緊締力を損なうことなく樹木への食い込み等の影響も極力防止でき、しかも気温や降雨量等の気象条件に左右されることなく、且つ支持具の残片を極力残存させないようにすることを課題とする。  【解決手段】  樹木の支持施工において樹木を支持するための支持具であって、支持具本体を生分解性合成繊維で構成したことを特徴とする。【選択図】    図１
2005095048.tif 000002
【特許請求の範囲】
【請求項１】
樹木の支持施工において樹木を支持するための支持具であって、支持具本体1aが生分解性合成繊維で構成されていることを特徴とする樹木の支持施工における支持具。
【請求項２】
生分解性合成繊維が、張力がかかる方向に引き並べて構成されてなる請求項１記載の樹木の支持施工における支持具。
【請求項３】
生分解性合成繊維の単糸が、１００dtｅx 〜３０００dtｅx の太さである請求項１又は２記載の樹木の支持施工における支持具。
【請求項４】
生分解性合成繊維が脂肪族ポリエステルからなる請求項１乃至３のいずれかに記載の樹木の支持施工における支持具。
【請求項５】
脂肪族ポリエステルが、ポリアルキレンジカルボキシレート類、ポリ乳酸およびポリ（β−ヒドロキシアルカノエート）類から選ばれた少なくとも一種である請求項４記載の樹木の支持施工における支持具。
【請求項６】
脂肪族ポリエステルが、融点７０℃以上のポリアルキレンジカルボキシレート類の少なくとも一種である請求項５記載の樹木の支持施工における支持具。
【請求項７】
ポリアルキレンジカルボキシレート類が、ポリブチレンサクシネート、ポリエチレンサクシネートおよびポリブチレンサクシネート・アジペートから選ばれた少なくとも一種である請求項５又は６記載の樹木の支持施工における支持具。
【請求項８】
樹木の根元部及び根鉢を支持具で支持して樹木を支持施工する樹木の支持施工方法において、樹木の生育時に樹木の根元部又は根鉢に対する支持具の緊締状態が解除されうるように、前記樹木の根元部支持具又は根鉢支持具の少なくともいずれかを生分解性合成繊維で構成することを特徴とする樹木の支持施工方法。
【発明の詳細な説明】
【技術分野】
【０００１】
本発明は、樹木の支持施工における支持具、及びその支持具を用いた樹木の支持施工方
法、さらに詳しくは、主として樹木の根鉢を地中に埋設して樹木を支持施工する方法と、
その支持施工の際に、その樹木の根元部や根鉢を支持する支持具に関するものである。
【背景技術】
【０００２】
一般に、この種の樹木の支持施工方法は、予め地面に形成された植穴内に根鉢を収納し
、樹木の根元部の周囲に支持具を配置し、この支持具にワイヤーやベルト等の根鉢用の支
持具を連結して根鉢に掛け回すとともに、その根鉢用の支持具を、植穴の底壁面に打ち込
まれたアンカーに掛止して根鉢用の支持具に張力を生ぜしめ、全体として樹木を支持固定
して施工する方法である。
【０００３】
このような樹木の支持施工においては、樹木の根元部の支持具と、その根元部の支持具
に連結された根鉢用の支持具で樹木が支持されており、根元部の周囲に配置されている支
持具の位置が樹木の支持構造全体の支点となっている。
【０００４】
従って、樹木が生育する所定期間経過後まで、特に施工当初においては、両支持具の緊
締状態が十分でないと、樹木に傾倒力が生じた場合に、支持構造の支点である樹木の根元
部が応力の移動に伴って動くこととなり、その結果、張設用部材までもが緩むおそれがあ
り、全体の支持施工の構造体としての機能が損なわれることとなる。このため施工当初か
ら樹木が生育する所定期間経過後までは、所望の緊締状態で両支持具が緊締されている必
要がある。
【０００５】
一方、樹木は根が伸長して十分生育した状態においては、上記のような両支持具が存在
しなくとも自立し、不用意に傾倒することもない。従って、樹木が十分生育した状態にお
いては支持具を樹木の根元部や根鉢から取り外してもよいのであるが、支持施工後に根鉢
が土中に埋設されれば、支持具を樹木の根元部や根鉢から取り外すことは困難となる。こ
の場合、支持具を土中に残存させないことが本来は望ましく、その観点から支持具は土中
で分解されることが望ましい。
【０００６】
そこで、このような点に鑑み、これを解決すべく、一定期間経過後に支持具を分解させ
、緊締状態を解除することに着目した下記特許文献１のような発明もなされている。
【０００７】
この発明は、天然繊維により形成されたスリング本体の長手方向に沿って湿熱により加
水分解を生じて分解する自己分解型樹脂により形成された補助材を結合一体化してなるス
リングを対象とするものである。
【０００８】
この特許文献１に係る発明は、スリング本体を天然繊維で構成するものであるが、この
特許文献１にも記載されているように、全体が天然繊維であると、「土中埋入後、強度を
低下する期間が30〜40日であり、短期間である」ことが記載されており、また「樹木が十
分な根張りを果たす前にスリング（支持具）が腐敗してしまうと、そもそも植樹に対して
支持装置を用いた本来の意義が失われてしまう」ことも記載されている。
【０００９】
このような点に鑑みて、特許文献１では、上記のような湿熱により加水分解を生じて分
解する自己分解型樹脂により形成された補助材を、スリング本体の長手方向に沿って結合
一体化させたのである。
【００１０】
ところで、この特許文献１によると、「樹木が成長して自己の根張りにより風圧に耐え
るようになるまでには、植樹後、数年を要する。」と記載されており、このようにスリン
グが分解されうる時期として５〜６年を設定して、上記自己分解型樹脂の素材としてたと
えばポリエステル系ポリウレタンが選定されているのである。
【特許文献１】特許第3035661 号
【発明の開示】
【発明が解決しようとする課題】
【００１１】
しかし、上記特許文献１のような発明で用いられている支持具（スリング）を構成して
いる「湿熱により加水分解を生じて分解する自己分解型樹脂」は、該特許文献１に「雨に
濡れたまま高温高湿の雰囲気中に長時間おかれると、表面からボロボロになることが知ら
れている。そして、ミクロン単位の超薄肉物でない限り、その分解は５年以上のスパンで
起こる。」と記載されていることからも明らかなように、特殊条件下におかれない限り、
分解は起こらない材質のものである。
【００１２】
すなわち、加水分解は所定温度で水が存在したときに生じるものであるが、地表温度が
約30℃以上の夏期であっても土中の温度は13〜15℃程度であり、また水は降雨等の自然力
に依存せざるを得ない。これでは、気温や降雨量等の気象条件によって分解時期に変動を
生ずることにもなる。
【００１３】
さらに、ポリエステル系ポリウレタンは、それ自体本来は分解しない合成樹脂であり、
加水分解により支持具（スリング）が分断されて樹木の根元部や根鉢の緊締状態が解除さ
れたとしても、原形を留めない程に土中で完全に分解されるわけではなく、支持具（スリ
ング）の残片はどうしても残存することになる。
【００１４】
本発明は、このような問題点を解決するためになされたもので、樹木の根元部の緊締力
を損なうことなく樹木への食い込み等の影響も極力防止でき、しかも気温や降雨量等の気
象条件に左右されることなく、且つ支持具の残片を極力残存させないようにすることを課
題とするものである。
【課題を解決するための手段】
【００１５】
本発明は、このような課題を解決するために、樹木の支持施工における支持具、及びそ
の支持具を用いた樹木の支持施工方法としてなされたもので、樹木の支持施工における支
持具としての特徴は、樹木の支持施工において樹木を支持するための支持具であって、支
持具本体を生分解性合成繊維で構成したことである。
【００１６】
また、樹木の支持施工方法としての特徴は、樹木の根元部及び根鉢を支持具で支持して
樹木を支持施工する樹木の支持施工方法において、樹木の生育時に樹木の根元部又は根鉢
に対する支持具の緊締状態が解除されうるように、前記樹木の根元部支持具又は根鉢支持
具の少なくともいずれかを生分解性合成繊維で構成することである。
【発明の効果】
【００１７】
上述のように、本発明は、樹木を支持施工する際に、樹木の根元部を支持するための支
持具であって、支持具本体を生分解性合成繊維からなる単糸を複数本合糸して構成したも
のであるため、年月の経過により樹木の根元部が徐々に太くなっても、所定年数で支持具
本体の巻装状態が解除されることとなり、よって樹木が生育して樹木の径が太くなっても
樹木の根元部に不用意に食い込むこともなく、その食い込み等による種々の問題点を解消
することが可能となる。
すなわち、支持具の食い込みによる樹木の生育不良を防止でき、さらには支持具の食い
込みを防止するために樹木の生育に応じて支持具を切断するという従来の煩雑な作業も不
要になるという効果がある。
【発明を実施するための最良の形態】
【００１８】
本発明で用いる生分解性合成繊維としては、ポリアルキレンジカルボキシレート類、ポ
リ乳酸、およびポリ（β−ヒドロキシアルカノエート）類に代表される脂肪族ポリエステ
ルから得られる生分解性合成繊維が好適であるが、それ以外にも例えば生分解性を有する
ポリブチレンサクシネート・テレフタレートなどの一部芳香族成分を含む脂肪族ポリエス
テルなどから得られる生分解性合成繊維であってもよく、必ずしもこれに限定されるもの
ではない。
【００１９】
また、上記脂肪族ポリエステルにあっては、１９０℃、荷重２．１６ｋｇの条件で測定
したメルトインデックスが１０ｇ／分以下、融点が７０℃以上の脂肪族ポリエステルが特
に好適である。
また、上記ポリアルキレンジカルボキシレート類の具体例としては、ポリブチレンサク
シネート、ポリエチレンサクシネートおよびポリブチレンサクシネート・アジペートなど
が挙げられるが、これに限定されるものではない。また、上記ポリ乳酸としては、ポリー
Ｌ―乳酸、ポリーＤ―乳酸、およびＬ―乳酸／Ｄ―乳酸／ラセミ体乳酸の混合物をモノマ
ーとする共重合ポリマーなどが挙げられるが、これに限定されるものではない。
【００２０】
さらに、上記ポリ（β−ヒドロキシアルカノエート）類としては、ポリ−３−ヒドロキ
シブチレート、ポリ−３−ヒドロキシバリレート、およびポリ−３−ヒドロキシブチレー
ト・バリレートなどが挙げられるが、これに限定されるものではない。
なお、本発明に用いる上記ポリマーには、例えば顔料、染料、耐光剤、紫外線吸収剤、
酸化防止剤、結晶化抑制剤、および可塑剤などの各種添加剤を、目的とする性能を阻害な
い範囲で、その重合工程、重合後あるいは紡糸直前に添加することができる。
【００２１】
生分解性合成繊維は、好ましくは、張力がかかる方向に引き並べて構成される。それに
よって、強度利用率が向上し、張力によって不用意に分断されることがないという利点が
ある。
【００２２】
また生分解性合成繊維は、１００dtｅx 〜３０００dtｅx の太さとすることが好ましい
。太さが１００dtｅx 未満であると繊維が細くなりすぎて紡糸等の工程が煩雑になるとと
もに、その分、製造コストも増大することとなる一方で、太さが３０００dtｅx を越える
と、可撓性が損なわれて樹木根元部や根鉢への取り付けが困難になる可能性があるからで
ある。
従って、生分解性合成繊維の太さが１００dtｅx 〜３０００dtｅx の範囲内である場合
には、製造コストがかかることがなく、また可撓性が損なわれて取り付けが困難になるこ
ともないという効果がある。
【実施例１】
【００２３】
以下、本発明の実施例について図面に従って説明する。
一実施例としての、樹木の支持施工における支持具１、より詳しくは樹木の根元部にお
ける支持具の構成について説明すると、支持具本体1aは、図１に示すように全体が略板ベ
ルト状に形成されたものであり、生分解性合成繊維からなる単糸を複数本合糸して構成さ
れている。
【００２４】
本実施例では、ポリブチレンサクシネートからなる生分解性合成繊維を用いた。また、
生分解性合成繊維の太さは、本実施例では1300dtｅx とした。さらに、生分解性合成繊維
の単糸の引張破断強度は、6.67kgであった。
【００２５】
この生分解性合成繊維からなる単糸は次のようにして製造される。すなわち、ポリブチ
レンサクシネートをエクストルーダー型紡糸機で溶融し、口金を通して紡糸した後、水浴
中で冷却する。次に、この未延伸糸を温水１段目の延伸浴中で延伸した後、２段目乾熱浴
中で延伸してポリブチレンサクシネートからなる単糸が得られることとなる。
【００２６】
さらに、複数本の単糸は、張力がかかる方向である長手方向に引き揃えて構成されてい
る。本実施例では、図２に示すように、３本の単糸23, …が引き揃えられて合糸が構成さ
れ、その合糸24a,24b,24c,24d を同図のように４本準備する。そして、４本の合糸24a,24
b,24c,24d を、わずかな撚り数で、図３に示すようにＺ撚りに撚り合わせる。ここでＺ撚
りとは、同図のように右斜め上がりの方向に撚ることを意味する。このようにしてその撚
り合わせられた計12本の単糸からなる糸25a,25b を２本準備し、この２本の糸25a,25b を
、図４に示すようにＳ撚りに撚り合わせて縦糸26を形成する。ここでＳ撚りとは、同図の
ように左斜め上がりの方向に撚ることを意味する。
この場合において、合糸24a,24b,24c,24d を撚って糸25a,25b を構成する場合にはＺ撚
りで撚られ、さらにその25a,25b を撚って縦糸26を構成する場合には逆向きであるＳ撚り
で構成されているので、支持具本体1aが板ベルト状に形成される上で、その支持具本体1a
が捩じれるおそれが解消されることとなる。
【００２７】
さらに、このような縦糸26を図５に示すように18本横並べし、その横並べされた縦糸26
と、横糸（図示せず）とを織成することによって、板ベルト状の支持具本体1aが構成され
ることとなるのである。ここで計18本の縦糸26のうち９本分は２本の糸25a,25b をＺ撚り
で撚ったものであり、他の９本の縦糸26は、２本の糸25a,25b をＳ撚りで撚ったものであ
る。そして、Ｚ撚りの縦糸26とＳ撚りの縦糸26とは、図５に示すように１本ずつ交互に配
置された状態で横糸と織成されることとなる。
このように、計18本の縦糸26はＳ撚りのものとＺ撚りのものとが交互に配置されている
ので、このＳ撚りとＺ撚りの縦糸を交互に配置して構成される支持具本体1aのひねり状態
のバランスが保持され、支持具本体1aに捩じれ、撓み、歪み、反り等が生ずるおそれがな
く、その結果、支持具本体1aがたとえば波打状態になる等の変形が生ずるのが好適に防止
されることとなる。
そして、板ベルト状の支持具本体1aは、縦糸26を18本横並べして構成されているので、
結局計432 本の生分解性合成繊維の単糸で構成されていることとなる。
尚、横糸としては、たとえばポリアミド系合成繊維、綿等を使用することができる。
【００２８】
２は、前記支持具本体1aの両端部を止着し、ベルトの長さを調整するためのバックルと
しての機能を有する取付具で、図６に示すように前記取付具２に穿設された複数箇所の孔
３，…に前記緊締具本体1aの両端部が挿通されることによって、止着されている。
【００２９】
上記構成からなる樹木根元部の支持具１は、樹木を支持施工する際に、その樹木の根元
部に巻装状態で設置して使用されるものである。
【００３０】
次に、この樹木根元部の支持具１を、支持施工される樹木の根元部に巻装状態で設置す
る場合について、一例としての樹木の支持施工方法とともに具体的に説明する。
【００３１】
先ず、図７に示すように予め形成された植穴６の底面７に客土８を散布し、その上部に
、同図及び図８に示すように根鉢用載置体９を載置する。
【００３２】
次に、上記のような根鉢用載置体９の４本のスライド杆10, …を、それぞれ外向きにス
ライドさせて支持具本体11を拡張し、前記スライド杆10の先端部の上面に固着された４本
の打込杆12，…を、図９及び図10に示すようにそれぞれ植穴６の内壁面13に打ち込む。こ
のようにして打込杆12，…が打ち込まれて根鉢用載置体９が固定された後、図11に示すよ
うにその根鉢用載置体９上に根鉢14を載置する。
【００３３】
次に、図12のように、樹木15の根元部16と根鉢14の略直下の載置体本体11（より詳しく
はスライド杆10の根元部）とにベルト状（板状）の張設用部材17を掛け回す。上記支持具
１が樹木15の根元部16の支持用であるのに対し、この張設用部材17は、根鉢の支持用の支
持具である。そして上記根元部16の支持具１と同様に、生分解性合成繊維であるポリブチ
レンサクシネートで構成されている。
【００３４】
４本の張設用部材17が１本ずつ支持具１と載置体本体11（より詳しくはスライド杆10の
根元部）とに架設される。この際、図11及び図12に示すように、根鉢14を張設用部材17の
食い込みから保護するために保護パット18が根鉢14の肩部に添えられる。
【００３５】
次に、樹木15の根元部16と張設用部材17とを連結する場合には、図11及び図12に示すよ
うに、前記樹木15の根元部16に支持具１を巻装し、その支持具１に前記張設用部材17を掛
止する。
この場合、支持具１は、樹木15の根元部16に直接接触しないように、所定の間隔を隔て
て根鉢の上面に載置されている。従って、支持具１は、樹木15の根元部16に巻装されてい
るというよりも、むしろ樹木15の根元部16の周囲に所定の間隔を隔てて配置されているの
である。
【００３６】
その後、ウインチ20によって該張設用部材17に張力を生ぜしめる。そして、その張力に
よって前記根鉢14が支持されることとなる。
この場合、支持具本体1aは板ベルト状に形成されているため、その支持具本体1aの端部
を結着する作業も容易に行うことができる。
【００３７】
以上のようにして樹木15の根元部16を支持した後、植穴６内に土等を埋めることによっ
て、樹木の支持施工が完成する。
【００３８】
施工された樹木は、年月の経過によりその根元部も徐々に太くなり、従って支持具１が
樹木15の根元部16に接触した状態で巻装されることとなるが、支持具本体1aが柔軟な素材
である生分解性合成繊維、より具体的にはポリブチレンサクシネートからなる生分解性合
成繊維単糸を複数本合糸して構成されているものであるため、支持具１が樹木に不用意に
食い込むこともない。
【００３９】
さらに年月が経過すると、樹木15の根元部16は一層太くなって支持具１に接触するよう
になり、その緊締力に対応できなくなるが、支持具本体1aが生分解性合成繊維であるポリ
ブチレンサクシネートで構成されているので、所定年月の経過により樹木の径が広がって
も、樹木15の根元部16への食い込み等による影響を著しく緩和することができる。
【００４０】
これをより詳細に説明すると、支持具１を生分解性合成繊維であるポリブチレンサクシ
ネートで構成することで、このような支持具１や張設用ベルト17を土中に埋設した場合に
、土中の微生物によって支持具１が徐々に劣化し、分解していくのである。
【００４１】
よって支持具本体1a徐々に劣化するため、上記のように支持具１の樹木15の根元部16へ
の食い込みが緩和されるのである。そして、劣化した支持具１は、樹木の施工後、所定年
数経過後に完全に分解されることとなる。また、樹木の根が成長すると、樹木は自立しう
る状態になる。従って、支持具１がなくとも樹木の支持施工に影響を及ぼすことがない。
【００４２】
このように、本実施例では、支持具１が分解した頃に樹木の根が生長するため、支持具
１の緊締力により樹木の根元部に食い込み等の影響を及ぼすことがなく、且つ緊締力を維
持することもできるのである。
【００４３】
一方、本実施例では、張設用部材17も生分解性合成繊維であるポリブチレンサクシネー
トで構成されているため、年月の経過により張設用部材17も劣化して分解し、それによっ
て張設用部材17による根鉢の緊締状態が解除されることとなる。
【実施例２】
【００４４】
本実施例では、支持具１や張設用部材17を構成する生分解性合成繊維としてポリエチレ
ンサクシネートを用いた。本実施例においても、所定年数経過後に支持具１や張設用部材
17を好適に分解させることができた。その他の支持具１の構成は上記実施例１と同じであ
るため、その説明は省略する。
【実施例３】
【００４５】
本実施例では、支持具１や張設用部材17を構成する生分解性合成繊維としてポリブチレ
ンサクシネート・アジペートを用いた。本実施例においても、所定年数経過後に支持具１
や張設用部材17を好適に分解させることができた。その他の支持具１の構成は上記実施例
１と同じであるため、その説明は省略する。
【実施例４】
【００４６】
本実施例では、支持具１や張設用部材17を構成する生分解性合成繊維として、ポリ乳酸
を用いた。本実施例においても、所定年数経過後に支持具１や張設用部材17を好適に分解
させることができた。その他の支持具１の構成は上記実施例１と同じであるため、その説
明は省略する。
【実施例５】
【００４７】
本実施例では、支持具１や張設用部材17の配置状態を変えている。上記各実施例では、
支持具１を樹木の根元部の周囲に配置し、その支持具１に張設用部材17を連結したが、本
実施例では、図13に示すように張設用部材17を樹木の根元部において交差するように掛け
回し、その張設用部材17が交差する部分17a,17b で樹木の根元部を包囲して支持するよう
にしてもよい。
【００４８】
この場合でも、樹木の生育に伴い、樹木の幹が太くなれば、その樹木は上記張設用部材
17が交差する部分17a,17b に接触してその部分で緊締支持されることとなるのである。こ
の場合には、張設用部材17が支持具の機能を併備することとなる。
尚、図13において、18は肩パッド、22は根鉢14の周囲に沿って地面に打ち込まれるアン
グルを示す。
【００４９】
本実施例においては、支持具の機能を併備している張設用部材17が、生分解性合成繊維
（ポリブチレンサクシネート等）で構成されている。従って、所定期間経過後に樹木が生
育したときに、上記交差する部分17a,17b で樹木の根元部を支持するが、張設用部材17は
劣化、分解されることになるので、樹木の根元部に食い込むことがない。
【００５０】
そして、張設用部材17が劣化、分解されることで、支持具の巻装状態が解除されると同
時に根鉢の支持状態も解除されることとなる。
【実施例６】
【００５１】
本実施例では、張設用部材17の配置状態を上記実施例５と代えている。すなわち、本実
施例では、図14に示すように、隣り合うアングル22,22 に張設用部材17を架け渡して根鉢
14を固定している。
【００５２】
本実施例においても、支持具の機能を併備している張設用部材17が、生分解性合成繊維
（ポリブチレンサクシネート等）で構成されているので、所定期間経過後に樹木が生育し
たときに樹木の根元部を支持される一方で、張設用部材17は劣化、分解されることになる
ので、樹木の根元部に食い込むことがないのである。
【実施例７】
【００５３】
本実施例では、張設用部材17の形態を、上記各実施例のベルト状のものに代えて図15に
示すようにワイヤー状のものとしている。本実施例においても、上記実施例１と同様に樹
木15の根元部16に支持具１が配置されるが、この実施例では支持具１に複数の止め具19，
…が取付けられており、その止め具19，…に張設用部材17が掛止される。本実施例でも、
根鉢14を張設用ベルト17の食い込みから保護するために保護パット18が根鉢14の肩部に添
えられる。
【００５４】
本実施例においても、支持具１が、生分解性合成繊維（ポリブチレンサクシネート等）
で構成されているので、所定期間経過後に樹木が生育したときに樹木の根元部が支持され
る一方で、支持具１は劣化、分解されることになるので、樹木の根元部に食い込むことが
ないのである。
【実施例８】
【００５５】
本実施例では、樹木を支持固定する手段として、上記各実施例のような根鉢用載置体９
に代えて図16に示すようにアンカー21を用いている。また張設用部材17としては、上記実
施例８と同様のワイヤー状のものを用いている。
【００５６】
根鉢用載置体９を用いないので、図16に示すように植穴６の底面７に打ち込まれたアン
カー21に張設用部材17を掛止することによって樹木が支持固定されることとなる。
【００５７】
本実施例においても、支持具１が、生分解性合成繊維（ポリブチレンサクシネート等）
で構成されているので、所定期間経過後に樹木が生育したときに樹木の根元部が支持され
る一方で、支持具１は劣化、分解されることになるので、樹木の根元部に食い込むことが
ないのである。
【００５８】
尚、上記各実施例では、生分解性合成繊維としてポリブチレンサクシネート、ポリエチ
レンサクシネート、ポリブチレンサクシネート・アジペート、ポリ乳酸等からなるものを
用いたが、その成分はこれに限定されるものではない。たとえばポリカプロラクトン、ポ
リヒドロキシブチレート等を使用することも可能である。
【００５９】
また、上記実施例においては、支持具本体1aが生分解性繊維のみで構成されていたが、
生分解性合成繊維の他に、たとえば綿，ジュート，藁，紙，羊毛，絹，皮革，木材，又は
シュロ等の天然繊維を混紡させることも可能である。或いは生分解性合成繊維と天然繊維
とを撚り合わせて支持具本体1aを構成することも可能である。
【００６０】
この場合でも、天然繊維は生分解性合成繊維と同じ方向に引き揃えられることとなる。
【００６１】
尚、樹木の生育年数に対応して劣化させるには、支持具本体1aに用いる生分解性合成繊
維の太さや厚みを調整し、或いは単糸の本数等を調整することで、支持具１による巻装状
態が解除される時期を調整することができる。生分解性合成繊維の太さと生分解性の速度
の関係で、糸が小さくなると、糸表面積が大きくなり、微生物による分解面積が大きくな
り、分解するまでの時間が短くなる。逆に太すぎると面積が小さいため分解速度は小さく
なり、切断するまでの時間が長くなり、所定年数で分断するという目的を達成できなくな
る。
【００６２】
さらに、上記実施例では、支持具本体1aを板ベルト状に形成したため、上記のような好
ましい効果が得られたが、支持具本体1aの形状はこれに限定されるものではなく、たとえ
ば棒状やチェーン状、或いは網状に形成することも可能である。
【００６３】
また、細い線状体を櫛のように並設して全体を略ハープ状（楽器のハープ）に形成した
ようなものであってもよく、この場合には多数の線状体のうち何本かが分断されるように
構成することで、全体も分断可能となりうる。
【００６４】
尚、支持具本体1aを分解性素材で構成する場合には、全体を分解性素材で構成する必要
はなく、一部のみを分解性素材で構成してもよい。
【００６５】
さらに該実施例では、打込杆12を植穴４の内壁面13に打ち込んだが、このように打ちこ
む必要は必ずしもなく、たとえば内壁面13を押圧するような部材をスライド杆10に取付け
、その部材で内壁面13を押圧するだけでもよい。
【００６６】
さらに、上記実施例では、張設用部材17を根鉢14に掛け回して樹木を支持固定したが、
このようなベルト状やワイヤー状の張設用紐材を用いず、たとえば押圧片が取付けられた
棒状体を根鉢に沿って地面に打ち込むとともにその棒状体の上部の押圧片で根鉢14を押圧
して支持固定することも可能である。従って、樹木の支持固定方法は問うものではない。
【００６７】
さらに、上記実施例では、支持具１のみならず、張設用部材17も生分解性合成繊維で構
成したため、樹木生育後に支持具１と張設用部材17の双方ともに土中で分解させることが
できるという好ましい利点が得られたが、双方ともに生分解性繊維で構成することは本発
明に必須の条件ではなく、たとえば支持具１のみを生分解性合成繊維で構成し、張設用部
材17は他の素材で構成することも可能である。また、張設用部材17のみを生分解性繊維で
構成することも可能である。
【００６８】
さらに、上記実施例では、３本の単糸23, …が引き揃えられて合糸が構成され、４本の
合糸24a,24b,24c,24d を撚り合わせて形成された糸25a,25b を２本さらに撚って縦糸26が
構成されていたが、これら単糸23の本数、合糸24a,…の本数、糸25a の本数等も該実施例
に限定されるものではない。
ただし、合糸の撚りを容易に行なわしめるためには、３本程度の単糸で合糸を構成する
のが望ましく、また、４本程度の合糸24a,…を撚って糸25a,…を構成するのが好ましい。
また、上記実施例では２本の糸25a,25b を撚って縦糸26が構成され、その縦糸26を18本
横並べして支持具本体1aが構成されていたが、これらの本数も該実施例に限定されるもの
ではなく、たとえば４本の糸25a,…を撚って縦糸26を構成し、その縦糸26を９本横並べし
て支持具本体1aを構成することも可能である。ただし、４本の糸25a,…を撚って縦糸26を
構成した場合には、２本の糸25a, 25bを撚って縦糸26を構成する場合に比べて縦糸26が硬
くなるので、上記実施例のように２本の糸25a, 25bで縦糸26を構成し、その縦糸26を18本
横並べして支持具本体1aを構成する方が望ましい。尚、横並べする縦糸26の本数も該実施
例の18本に限定されない。
さらに、上記実施例では、Ｓ撚りの縦糸とＺ撚りの縦糸とが１本ずつ交互に配置されて
いたが、これに限らず２本ずつ交互に配置されていてもよい。ただし支持具本体1aに捩じ
れ、撓み、歪み、反り等が生ずるおそれをより確実に防止し、支持具本体1aのひねり状態
のバランスを保持するためには、１本ずつ交互に配置されていることがより望ましい。
尚、支持具本体1aに捩じれ、撓み、歪み、反り等が生ずるのを防止する意味では、Ｓ撚
りの縦糸とＺ撚りの縦糸とを交互に配置することが必要であるが、このようにＳ撚りの縦
糸とＺ撚りの縦糸とを交互に配置することは本発明に必須の条件ではない。
【００６９】
さらに、上記実施例では、合糸24a,24b,24c,24d の撚りをＺ撚りとし、その合糸で構成
される糸25a,…の撚りをＳ撚りとしたが、これとは逆に合糸24a,…の撚りをＳ撚りとし、
糸25a,…の撚りをＺ撚りとすることも可能である。尚、このように合糸24a,…の撚り方向
と、糸25a,…の撚り方向を逆向きにすることは本発明に必須の条件ではなく、同方向に撚
る場合も本発明の範囲に含まれるが、同方向に撚った場合には、支持具本体1aが板ベルト
状に形成されていると、捩じれるおそれがあるので、上記実施例のように合糸24a,…の撚
り方向と糸25a,…の撚り方向とは逆向きに形成されていることが好ましい。
さらに、横糸の材質も上記実施例のポリアミド系合成繊維や綿等に限定されるものでは
なく、他の繊維を使用することも可能である。また横糸も縦糸と同様に生分解性合成繊維
で構成することも可能であるが、縦糸、横糸ともに生分解性合成繊維で構成されている場
合には、支持具本体1aの強度が少し弱くなるおそれがあり、また支持具本体1aの製作コス
トを低減させる観点からも、横糸は汎用性があり所定の強度を有するポリアミド系合成繊
維や綿等を用いることが望ましい。
【産業上の利用可能性】
【００７０】
本発明の樹木の支持施工における支持具、及びその支持具を用いた樹木の支持施工方法
は、公園、舗道、博覧会場、その他、都市緑化が必要な種々の場所に植設される樹木の支
持施工に広く適用することができる。
【図面の簡単な説明】
【００７１】
【図１】一実施例としての支持具を示し、（イ）は概略斜視図、（ロ）は（イ）のＡ−Ａ線拡大断面図。
【図２】支持具本体を構成する単糸及び合糸を示す概略正面図。
【図３】合糸を撚って縦糸形成用の糸を構成した状態の概略正面図。
【図４】縦糸を示す概略正面図。
【図５】縦糸を横並べした状態の正面図。
【図６】支持具本体の止着部分を示す要部拡大断面図。
【図７】根鉢用載置体を植穴の底壁面に載置する工程の一部断面側面図。
【図８】根鉢用載置体を植穴の底壁面に載置する工程の一部断面平面図。
【図９】打込杆を側壁面に打ち込んだ工程の一部断面側面図。
【図１０】打込杆を側壁面に打ち込んだ工程の一部断面平面図。
【図１１】根鉢用載置体に根鉢を載置した状態の一部断面側面図。
【図１２】根鉢用載置体に根鉢を載置した状態の一部断面平面図。
【図１３】樹木の支持施工方法の他の実施例の概略平面図。
【図１４】樹木の支持施工方法の他の実施例の概略平面図。
【図１５】樹木の支持施工方法の他の実施例の一部断面概略平面図。
【図１６】樹木の支持施工方法の他の実施例の一部断面概略斜視図。
【符号の説明】
【００７２】
１…支持具                    1a…支持具本体
17…張設用部材
【図１】
2005095048.tif 000003
【図２】
2005095048.tif 000004
【図３】
2005095048.tif 000005
【図４】
2005095048.tif 000006
【図５】
2005095048.tif 000007
【図６】
2005095048.tif 000008
【図７】
2005095048.tif 000009
【図８】
2005095048.tif 000010
【図９】
2005095048.tif 000011
【図１０】
2005095048.tif 000012
【図１１】
2005095048.tif 000013
【図１２】
2005095048.tif 000014
【図１３】
2005095048.tif 000015
【図１４】
2005095048.tif 000016
【図１５】
2005095048.tif 000017
【図１６】
2005095048.tif 000018